(57)【特許請求の範囲】
【請求項１】
ユーザの操作入力に応じて動画像を撮像して記録媒体に記録する画像データ記録装置において、
前記操作入力のタイミング以前に溯った所定の期間の動画像を記録する第１の記録モード、前記操作入力のタイミング以降の所定の期間の動画像を記録する第２の記録モード、または前記操作入力のタイミングを挟む所定の期間の動画像を記録する第３記録モードのいずれかをユーザに選択させる選択手段と、
選択された記録モードを示すアイコンを表示させる表示制御手段と
を含み、
前記アイコンは、記録時間に対応する時間軸を示す第１の部分と、記録時間に対する操作の入力タイミングを示す第２の部分から構成され、
前記第２の部分は、
前記第１の記録モードが選択されている場合には、連続する動作の開始を表した絵柄であり、
前記第２の記録モードが選択されている場合には、連続する動作の途中を表した絵柄であり、
前記第３の記録モードが選択されている場合には、連続する動作の終了を表した絵柄である
画像データ記録装置。
【請求項２】
動画像を撮像して記録媒体に記録する画像データ記録装置の設定状態表示方法において、
前記操作入力のタイミング以前に溯った所定の期間の動画像を記録する第１の記録モード、前記操作入力のタイミング以降の所定の期間の動画像を記録する第２の記録モード、または前記操作入力のタイミングを挟む所定の期間の動画像を記録する第３記録モードのいずれかをユーザに選択させ、
選択された記録モードを示すアイコンを表示させる
ステップを含み、
前記アイコンは、記録時間に対応する時間軸を示す第１の部分と、記録時間に対する操作の入力タイミングを示す第２の部分から構成され、
前記第２の部分は、
前記第１の記録モードが選択されている場合には、連続する動作の開始を表した絵柄であり、
前記第２の記録モードが選択されている場合には、連続する動作の途中を表した絵柄であり、
前記第３の記録モードが選択されている場合には、連続する動作の終了を表した絵柄である
設定状態表示方法。
【請求項３】
動画像を撮像して記録媒体に記録する画像データ記録装置の制御用のプログラムであって、
前記操作入力のタイミング以前に溯った所定の期間の動画像を記録する第１の記録モード、前記操作入力のタイミング以降の所定の期間の動画像を記録する第２の記録モード、または前記操作入力のタイミングを挟む所定の期間の動画像を記録する第３記録モードのいずれかをユーザに選択させ、
選択された記録モードを示すアイコンを表示させる
ステップを含み、
前記アイコンは、記録時間に対応する時間軸を示す第１の部分と、記録時間に対する操作の入力タイミングを示す第２の部分から構成され、
前記第２の部分は、
前記第１の記録モードが選択されている場合には、連続する動作の開始を表した絵柄であり、
前記第２の記録モードが選択されている場合には、連続する動作の途中を表した絵柄であり、
前記第３の記録モードが選択されている場合には、連続する動作の終了を表した絵柄である
処理を画像データ記録装置のコンピュータに実行させるプログラム。
【発明の詳細な説明】
【技術分野】
【０００１】
本発明は、画像データ記録装置、設定状態表示方法、およびプログラムに関し、特に、ユーザからの操作に対応し、その操作タイミングに時間的に遡って画像データを記録するようにした画像データ記録装置、設定状態表示方法、およびプログラムに関する。
【背景技術】
【０００２】
一般的なデジタルビデオカメラでは、録画ボタンなどに対するユーザの押下操作に対応して動画像の録画を開始するようになされており、動画像の録画と平行し、任意のタイミングで静止画像を記録することができるものも存在する（例えば、特許文献１参照）。
【０００３】
また、所定の操作によって録画モードの設定を変更することにより、録画ボタンなどに対するユーザの押下操作に対応して、操作タイミングよりも時間を溯って動画像を録画することができるものも存在する。
【０００４】
【特許文献１】特開２００４−３１２２７７号公報
【発明の開示】
【発明が解決しようとする課題】
【０００５】
このような操作タイミングよりも時間を溯って録画することができるデジタルビデオカメラでは、ユーザの誤操作を抑止するため、設定中の録画モード（例えば、ユーザの操作タイミングよりも時間を溯って録画するモード、ユーザの操作タイミング以降に録画するモードなど）をユーザに速やかに把握させる必要がある。
【０００６】
そこで、設定中の録画モードを示す文字列をディスプレイに表示させる方法が考えられるが、例えば「録画ボタンを押すと、その直後の映像を記録します」、「録画ボタンを押すと、その直前までの映像を遡って記録します」などと文章を表示させた場合、ディスプレイは撮像する動画像を確認するためのファインダとしても使用されるので、これらの文章表示が撮像する動画像の確認の妨げとなる。また、例えば「スタートトリガ」、「エンドトリガ」などの短い単語を表示させた場合、ユーザが設定中の録画モードを正確に把握することができない。
【０００７】
本発明はこのような状況に鑑みてなされたものであり、ディスプレイのファインダとしての機能を阻害することなく、設定されている録画モードをユーザが速やかに把握できるようにするものである。
【課題を解決するための手段】
【０００８】
本発明の一側面である画像データ記録装置は、ユーザの操作入力に応じて動画像を撮像して記録媒体に記録する画像データ記録装置において、前記操作入力のタイミング以前に溯った所定の期間の動画像を記録する第１の記録モード、前記操作入力のタイミング以降の所定の期間の動画像を記録する第２の記録モード、または前記操作入力のタイミングを挟む所定の期間の動画像を記録する第３記録モードのいずれかをユーザに選択させる選択手段と、選択された記録モードを示すアイコンを表示させる表示制御手段とを含み、前記アイコンは、記録時間に対応する時間軸を示す第１の部分と、記録時間に対する操作の入力タイミングを示す第２の部分から構成され、前記第２の部分は、前記第１の記録モードが選択されている場合には、連続する動作の開始を表した絵柄であり、前記第２の記録モードが選択されている場合には、連続する動作の途中を表した絵柄であり、前記第３の記録モードが選択されている場合には、連続する動作の終了を表した絵柄である。
【００１２】
本発明の一側面である設定状態表示方法は、動画像を撮像して記録媒体に記録する画像データ記録装置の設定状態表示方法において、前記操作入力のタイミング以前に溯った所定の期間の動画像を記録する第１の記録モード、前記操作入力のタイミング以降の所定の期間の動画像を記録する第２の記録モード、または前記操作入力のタイミングを挟む所定の期間の動画像を記録する第３記録モードのいずれかをユーザに選択させ、選択された記録モードを示すアイコンを表示させるステップを含み、前記アイコンは、記録時間に対応する時間軸を示す第１の部分と、記録時間に対する操作の入力タイミングを示す第２の部分から構成され、前記第２の部分は、前記第１の記録モードが選択されている場合には、連続する動作の開始を表した絵柄であり、前記第２の記録モードが選択されている場合には、連続する動作の途中を表した絵柄であり、前記第３の記録モードが選択されている場合には、連続する動作の終了を表した絵柄である。
【００１３】
本発明の一側面であるプログラムは、動画像を撮像して記録媒体に記録する画像データ記録装置の制御用のプログラムであって、前記操作入力のタイミング以前に溯った所定の期間の動画像を記録する第１の記録モード、前記操作入力のタイミング以降の所定の期間の動画像を記録する第２の記録モード、または前記操作入力のタイミングを挟む所定の期間の動画像を記録する第３記録モードのいずれかをユーザに選択させ、選択された記録モードを示すアイコンを表示させるステップを含み、前記アイコンは、記録時間に対応する時間軸を示す第１の部分と、記録時間に対する操作の入力タイミングを示す第２の部分から構成され、前記第２の部分は、前記第１の記録モードが選択されている場合には、連続する動作の開始を表した絵柄であり、前記第２の記録モードが選択されている場合には、連続する動作の途中を表した絵柄であり、前記第３の記録モードが選択されている場合には、連続する動作の終了を表した絵柄である処理を画像データ記録装置のコンピュータに実行させる。
【００１４】
本発明の一側面においては、操作入力のタイミング以前に溯った所定の期間の動画像を記録する第１の記録モード、操作入力のタイミング以降の所定の期間の動画像を記録する第２の記録モード、または操作入力のタイミングを挟む所定の期間の動画像を記録する第３記録モードのいずれかがユーザに選択され、選択された記録モードを示すアイコンが表示される。このアイコンは、記録時間に対応する時間軸を示す第１の部分と、記録時間に対する操作の入力タイミングを示す第２の部分から構成され、第２の部分は、第１の記録モードが選択されている場合には、連続する動作の開始を表した絵柄であり、第２の記録モードが選択されている場合には、連続する動作の途中を表した絵柄であり、第３の記録モードが選択されている場合には、連続する動作の終了を表した絵柄である。
【発明の効果】
【００１５】
以上のように、本発明の一側面によれば、ディスプレイのファインダとしての機能を阻害することなく、設定されている録画モードをユーザが速やかに把握させることが可能となる。
【発明を実施するための最良の形態】
【００２１】
以下、本発明を適用した具体的な実施の形態について、図面を参照しながら詳細に説明する。
【００２２】
図１は、本発明の一実施の形態であるデジタルビデオカメラの構成例を示している。このデジタルビデオカメラ１は、一般的な動画像の録画の他、ユーザの操作タイミングから溯って所定の期間を録画することができる機能を有するものである。
【００２３】
デジタルビデオカメラ１は、主に、被写体を撮像して画像信号と対応する音声信号を取得する撮像部１０、画像信号と音声信号を符号化してディスク５９に記録し、また読み出して再生する記録再生処理部２０、および、撮像部１０と記録再生処理部２０を制御する制御部３０から構成される。
【００２４】
撮像部１０は、光学ブロック１１、カメラ制御部１２、信号変換部１３、撮像信号処理部１４、音声入力部１５、および音声信号処理部１６を備える。光学ブロック１１は、被写体を撮像するためのレンズ群、絞り調整機構、フォーカス調整機構、ズーム機構、シャッタ機構、フラッシュ機構、および、手ぶれ補正機構などを内蔵する。カメラ制御部１２は、制御部３０からの制御信号に従い、光学ブロック１１に対してズーム制御、シャッタ制御、および、露出制御などを行なうための制御信号を生成して光学ブロック１１に出力する。
【００２５】
信号変換部１３は、例えばCCD(Charge Coupled Device)あるいはCMOS(Complementary Metal-Oxide Semiconductor)などの撮像素子より成り、その結像面に、光学ブロック１１を介して入力される被写体の光学像が集束される。この信号変換部１３は、シャッタ操作に対応して制御部３０から供給される画像取り込みタイミング信号に従い、結像面に集束されている被写体の光学像を電気信号である撮像信号に変換し、撮像信号処理部１４に出力する。
【００２６】
撮像信号処理部１４は、制御部３０からの制御信号に従い、撮像信号に対するガンマ補正やAGC（Auto Gain Control）などの処理を行なうとともに、アナログの撮像信号をデジタル化する処理も行なう。音声入力部１５は、撮影時の被写体周辺の音声を収集して音声信号に変換し、音声信号処理部１６に出力する。音声信号処理部１６は、制御部３０からの制御信号に従い、音声信号に対する補正やAGCなどの処理を行なうとともに、アナログ信号である音声信号をデジタル化する処理も行なう。
【００２７】
記録再生処理部２０は、符号化／復号部２１、ディスクインタフェース(I/F)２３、出力処理部２４、バッファメモリ２５から構成される。
【００２８】
符号化／復号部２１は、制御部３０からの制御信号に従い、撮像信号処理部１４から入力される画像信号に対して、ホワイトバランス制御、露出補正制御、デジタルズーム倍率に応じた拡大制御などを行なうとともに、撮像部１０から入力される画像信号および音声信号を、所定の方式（例えば、動画像信号および音声信号に対してはMPEG(Moving Picture Experts Group)2方式、静止画像に対してはJPEG(Joint Photographic Experts Group)方式）で符号化し、その結果得られる符号化データをディスクインタフェース２３に出力する。
【００２９】
また、符号化／復号回路２１は、ディスクインタフェース２３によってディスク５９から読み出される符号化データを復号し、その結果得られる画像信号および音声信号を出力処理部２４に供給する。さらに、符号化／復号回路２１は、ディスクインタフェース２３によってディスク５９に記録された１枚以上の静止画像の符号化データ（例えば、JPEGデータ）を連続的に復号し、再び動画像用の所定の方式（いまの場合、例えば、MPEG2方式）に従って符号化することにより、静止画像変換動画像の符号化データ（MPEG2データ）を生成してディスクインタフェース２３に出力する。
【００３０】
ディスクインタフェース２３は、制御部３０からの制御に対応し、符号化／復号部２１から入力される符号化データを、着脱可能なディスク５９に記録する。また、ディスクインタフェース２３は、ディスク５９から圧縮データを読み出して符号化／復号部２１に供給する。出力処理部２４は、制御部３０からの制御により、符号化／復号部２１からの圧縮データを制御部３０や出力端子２７乃至２９に供給する。バッファメモリ２５は、例えばSDRAM(Synchronous Dynamic Random Access Memory)などから成り、符号化／復号部２１における符号化または復号のための作業領域として利用される。また、バッファメモリ２５は、符号化／復号部２１によって符号化された符号化データをディスクインタフェース２３に出力するまで待機させる待機領域としても使用される。
【００３１】
制御部３０は、CPU(Central Processing Unit)３１と、ROM(Read Only Memory)３３、RAM３４、操作入力部５１から入力される操作信号をCPU３１に中継する操作入力インタフェース３５、表示部５２を接続するための表示制御部３６、メモリカード５３を装着するためのメモリカードインタフェース３７、手ぶれ補正のために角速度を検出する角速度検出部３８、撮影時刻を取得するための時計部３９、ディスク５９のフォーマットを決定するフォーマット決定部４０、および、画像のアスペクト比を設定するアスペクト比設定部４１がシステムバス３２を介して接続されることにより構成されている。
【００３２】
CPU３１はROM３３に記録されている制御用プログラムを実行することにより、デジタルビデオカメラ１の全体を制御するものであり、作業領域としてRAM３４を使用する。ROM３３には、撮像部１０を制御するためのプログラムや、画像信号や音声信号の記録制御および再生制御などを実行するためのプログラムが予め書き込まれている。
【００３３】
メモリカードインタフェース３７は、符号化／復号部２１からの圧縮データをメモリカード５３に書き込む。また、メモリカードインタフェース３７は、メモリカード５３から圧縮データを読み出して符号化／復号部２１に供給する。時計部３９は、年、月、日、時間、分、秒などを表わす時間情報を生成する。
【００３４】
角速度検出部３８は、デジタルビデオカメラ１に対して外部から加わる角速度を検出するジャイロスコープを内蔵している。このジャイロスコープによって検出される角速度情報［ω＝（θ／秒）］は、所定間隔毎にCPU３１に通知され、光学ブロック１１の手ブレ補正機構の制御に利用される。
【００３５】
フォーマット決定部４０は、ディスクインタフェース２３に装着されたディスク５９がフォーマット済であるか否かを判定するとともに、未フォーマットである場合、ユーザからの選択に基づいてフォーマットの種類を決定する。アスペクト比設定部４１は、動画像および静止画像のアスペクト比を、ユーザによる選択や既にディスク５９に対して記録されている情報に基づいて設定する。
【００３６】
操作入力部５１には、後述する録画モードを変更するための録画モード変更キー、ズーム調整キー、露出調整のためのキー、静止画撮影用のシャッタキー、動画撮影用の録画キー、表示部５２における表示調整キー、表示部５２の画面上のカーソルを移動、決定させるキーなどの複数のキーが設けられており、ユーザによってキーが操作されたことに対応して操作信号を操作入力インタフェース３５に出力する。この操作信号は操作入力インタフェース３５によってCPU３１に中継され、CPU３１は、この操作信号に基づき、操作入力部５１においていずれのキーが操作されたかを判別し、その判別結果に応じた制御処理を行なう。
【００３７】
なお、録画モードの変更は、録画モード変更キーを操作することの他、表示部５２に表示されるGUIを用いて行うことも可能である。
【００３８】
表示部５２は、例えばLCD(Liquid Crystal Display)などより成り、表示制御部３６を介して入力されるCPU３１の制御からの制御信号に基づき、撮像部１０の撮像信号処理部１４から出力される画像信号（スルー画像）や、ディスク５９から読み出された画像信号（再生画像）に対応する画像を表示する。なお、スルー画像や再生画像には、デジタルビデオカメラ１の状況(例えば、設定中の録画モード、バッテリの残量、設定中のアスペクト比)を示すアイコンなどが重畳して表示される。また、表示部５２は、例えば、フォーマットの種類、アスペクト比の種類、録画モードの種類などをユーザが選択するための操作画面も表示する。
【００３９】
次に、デジタルビデオカメラ１の動作を説明する。
【００４０】
このデジタルビデオカメラ１は、通常の録画モード（ユーザの録画キーに対する押下操作に対応し、録画を開始するモード）の他、図２Ａに示すようにユーザの録画キーに対する押下操作に対応し、この押下タイミングから溯った所定の期間（例えば、３秒間）を通常よりも高いフレームレートで録画する第１のスロー録画モード、図２Ｂに示すように録画キーに対する押下タイミングの前後の所定の期間（例えば、１．５秒間ずつ）を通常よりも高いフレームレートで録画する第２のスロー録画モード、または、図２Ｃに示すように、録画キーに対する押下タイミング以降の所定の期間を通常よりも高いフレームレートで録画する第３のスロー録画モードのいずれかに設定することが可能である。したがって、第１乃至３のスロー録画モードによって録画された動画像を通常のフレームレートで再生した場合、スロー再生となるので、被写体の動きなどを詳細に観察することができる。
【００４１】
なお、第１および２のスロー録画モードに設定されているときには、撮像部１０から出力される画像信号および音声信号を符号化／復号部２１が絶えず符号化しており、その結果得られる符号化データを所定の時間分だけバッファメモリ２５がバッファリングするようになされている。
【００４２】
図３は、デジタルビデオカメラ１による録画モード通知処理を説明するフローチャートである。
【００４３】
ステップＳ１において、CPU３１は、操作入力インタフェース３５からの入力を監視することにより、操作入力部５１に含まれる録画モード変更キーがユーザに操作され、録画モードが設定あるいは変更されたか否かを判定する。そして、録画モードが設定あるいは変更されたと判定するまで待機する。
【００４４】
録画モードが設定あるいは変更されたと判定された場合、処理はステップＳ２に進められる。ステップＳ２において、表示制御部３６は、CPU３１からの制御に基づき、表示部５２に画面に表示されている録画モードアイコンを、設定あるいは変更された状態に対応する表示に変更する。この後、処理ステップＳ１に戻り、それ以降の処理が繰り返される。
【００４５】
図４は、表示部５２の画面７１に設定中の録画モードを示す録画モードアイコン７２が表示されているときの表示例を示している。同図に示すように、録画モードアイコン７２は、時間軸を示す部分と、ユーザからの操作タイミングを示す部分から構成されている。録画モードアイコン７２は、画面７１のサイズに対して相対的に大き過ぎないので、表示部５２のファインダとしても機能を阻害することがない、また録画モードアイコン７２は小さ過ぎないので、ユーザの視認性を失うことがない。
【００４６】
なお、図４の録画モードアイコン７２（図５Ａに示すものも同様）は、第３のスロー録画モードに設定されている状態を示しており、第２のスロー録画モード、または第１のスロー録画モードに設定されている状態を示す録画モードアイコン７２は、図５Ｂ、あるいは図５Ｃに示すとおりである。
【００４７】
図５に示すように、第１乃至３のスロー録画モードに対応する録画モードアイコン７２の、ユーザからの操作タイミングを示す部分は、それぞれゴルファーがクラブを振り上げている状態、クラブを振った途中の状態、クラブを振りきった状態の図柄であり、この図柄の状態（いまの場合、ゴルフクラブのスイング）が第１乃至３のスロー録画モードを容易に連想させるので、ユーザに対して視覚的にどの録画モードに設定されているのかをユーザに速やかに把握させることができる。
【００４８】
なお、第１乃至３のスロー録画モードに対応する録画モードアイコンのユーザからの操作タイミングを示す部分として、ゴルフクラブのスイングの他、テニスラケットのスイング、野球のバットのスイングなど、一連の動作の開始、途中、および終了を示す図柄を採用してもよい。
【００４９】
また、ユーザからの操作タイミングを示す部分としては、単に、例えば図６に示す旗印や図７に示す矢印の図柄を採用してもよい。
【００５０】
図４に戻る。画面７１における設定ボタン７３を選択することにより、録画モードを変更するための録画モード変更画面を表示させることができる。
【００５１】
図８は、録画モード変更画面８１の表示例であり、第３のスロー録画モードに設定するための「ここから３秒間」ボタン８２が選択された状態を示している。このとき、録画モードアイコン７２は、選択されている第３のスロー録画モードに対応する表示となっている。
【００５２】
図９は、録画モード変更画面８１の他の表示例であり、第１のスロー録画モードに設定するための「ここまでの３秒間」ボタン８３が選択された状態を示している。このとき、録画モードアイコン７２は、選択されている第１のスロー録画モードに対応する表示に変更される。
【００５３】
本発明は、ビデオカメラのみならず、ビデオレコーダなどにも適用することが可能である。
【００５４】
本明細書において、プログラムに基づいて実行されるステップは、記載された順序に従って時系列的に行われる処理はもちろん、必ずしも時系列的に処理されなくとも、並列的あるいは個別に実行される処理をも含むものである。
【００５５】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【００５６】
なお、本発明の実施の形態は、上述した実施の形態に限定されるものではなく、本発明の要旨を逸脱しない範囲において種々の変更が可能である。
【図面の簡単な説明】
【００５７】
【図１】本発明を適用したデジタルビデオカメラの構成例を示すブロック図である。
【図２】第１乃至３のスロー録画モードを説明する図である。
【図３】録画モード通知処理を説明するフローチャートである。
【図４】画面上の録画モードアイコンを示す表示例である。
【図５】第１乃至３のスロー録画モードにそれぞれ対応する動作を示す図柄の録画モードアイコンの例を示す図である。
【図６】第１乃至３のスロー録画モードにそれぞれ対応する録画モードアイコンの他の例を示す図である。
【図７】第１乃至３のスロー録画モードにそれぞれ対応する録画モードアイコンの他の例を示す図である。
【図８】録画モード変更画面の表示例を示す図である。
【図９】録画モード変更画面の表示例を示す図である。
【符号の説明】
【００５８】
１  デジタルビデオカメラ，  １０  撮像部，  １１  光学ブロック，  １２  カメラ制御部，  １３  信号変換部，  １４  撮像信号処理部，  １５  音声入力部，  １６  音声信号処理部，  ２０  記録再生処理部，  ２１  符号化／復号部，  ２３  ディスクインタフェース，  ２４  出力処理部，  ２５  バッファメモリ，  ２７乃至２９  出力端子，  ３０  制御部，  ３１  CPU，  ３２  システムバス，  ３３  ROM，  ３４  RAM，  ３５  操作入力インタフェース，  ３６  表示制御部，  ３７  メモリカードインタフェース，  ３８  角速度検出部，  ３９  時計部，  ４０  フォーマット決定部，  ４１  アスペクト比設定部，  ５１  操作入力部，  ５２  表示部，  ５３  メモリカード，  ５９  ディスク
【図１】
0004645443.tif 000002
【図２】
0004645443.tif 000003
【図３】
0004645443.tif 000004
【図４】
0004645443.tif 000005
【図５】
0004645443.tif 000006
【図６】
0004645443.tif 000007
【図７】
0004645443.tif 000008
【図８】
0004645443.tif 000009
【図９】
0004645443.tif 000010